(57)【要約】【課題】  接着剤や両面テープ等の接着手段、貼着手段または粘着手段を用いることなく取着できる幅木または回り縁用のコーナーカバー及び幅木または回り縁のコーナー構造を提供する。【解決手段】  室内の出隅や入隅にあたる部分の幅木または回り縁に取着されるコーナーカバーＣ１であって、幅木９１，９１ａの表面に被せて取り付けられ、出隅や入隅を形作る被覆部材１と、被覆部材１の裏側から突設してあり、幅木９１，９１ａと壁材９０，９０ａとの間に挟まれた状態で配置可能な取着部材２とを備える。【選択図】図５
0003127147.tif 000002
【実用新案登録請求の範囲】
【請求項１】
室内の出隅や入隅にあたる部分の幅木または回り縁に取着されるコーナーカバーであって、
幅木または回り縁の表面に被せて取り付けられ、出隅や入隅を形作る被覆部材と、
被覆部材の裏側から突設してあり、幅木または回り縁と壁材との間に挟まれた状態で配置可能な取着部材と、
を備える、
幅木または回り縁用のコーナーカバー。
【請求項２】
取着部材は、上方から幅木と壁材との間に挿し込んで配置可能か、または下方から回り縁と壁材との間に挿し込んで配置可能なよう設けてある、
請求項１記載の幅木または回り縁用のコーナーカバー。
【請求項３】
室内の出隅や入隅にあたる部分の幅木または回り縁に取着されるコーナーカバーであって、
幅木または回り縁の表面に被せて取り付けられ、出隅や入隅を形作る被覆部材と、
被覆部材の裏側から突設してあり、幅木または回り縁と壁材との間に挟まれた状態で配置可能な取着部材と、
を備えており、
取着部材は、厚み部分の一端部を被覆部材の裏側から立てて設けてある薄板状の突出板部を備え、当該突出板部の先部に折曲して立てて設けてあり、幅木または回り縁と壁材との間に挟まれる薄板状の被挟持部を有する、
幅木または回り縁用のコーナーカバー。
【請求項４】
取着部材の被挟持部は、突出板部の先部から分岐して、被覆部材の裏面と平行または実質的に平行になるよう二方向に延びて形成してある、
請求項３記載の幅木または回り縁用のコーナーカバー。
【請求項５】
室内の入隅にあたる部分の幅木または回り縁に取着されるコーナーカバーであって、
取着部材の突出板部は、厚み部分の一端部を被覆部材の裏側に立てて二箇所に備えており、被挟持部はそれぞれの突出板部の先部に立てて、被覆部材の裏面と平行または実質的に平行になるよう延びて形成してある、
請求項３記載の幅木または回り縁用のコーナーカバー。
【請求項６】
被覆部材は、幅木または回り縁の側面に被せて取り付けられる二つの側壁部を備えており、当該二つの側壁部は、取着時において変形することで幅木または回り縁の表面をやや押圧した状態で取着されるよう鋭角または鈍角に形成してある、
請求項１，２，３，４または５記載の幅木または回り縁用のコーナーカバー。
【請求項７】
請求項１，２，３，４，５または６記載のコーナーカバーが室内の出隅や入隅にあたる部分の幅木または回り縁に取着してある、
幅木または回り縁のコーナー構造。
【考案の詳細な説明】
【技術分野】
【０００１】
本考案は幅木または回り縁用のコーナーカバー及び幅木または回り縁のコーナー構造に関する。更に詳しくは、接着剤や両面テープ等の接着手段、貼着手段または粘着手段を用いることなく取着できる幅木または回り縁用のコーナーカバー及び幅木または回り縁のコーナー構造に関する。
【背景技術】
【０００２】
通常、室内の壁部下側、床部に接する箇所には、化粧用部材として幅木が取り付けられている。室内の出隅や入隅にあたる部分において幅木は、通常、端面を斜めに切断して突き合わせ面を形成し、隙間ができないようにこれらの突き合わせ面を互いに突き合わせて設けられている。しかし、隙間ができないよう突き合わせ面を加工することは簡単でなく、熟練を要していた。
【０００３】
従来からこの課題を解決するものとして幅木用のコーナーカバーが開発されている。コーナーカバーによれば、幅木の出隅や入隅にあたる部分に被せて取り付けることにより、出隅や入隅を覆って隠すことができるので、幅木に突き合わせ面を形成することなく、簡単に外観の良好な出隅や入隅を形作ることができる。コーナーカバーは、通常、裏面に接着剤や両面テープ等を設けて、幅木の表面に接着または貼着して取り付けられていた。このようなコーナーカバーとしては、例えば、特許文献１に開示されたものがある。
【特許文献１】実開平５−７８７９４号公報
【考案の開示】
【考案が解決しようとする課題】
【０００４】
しかし、上記した従来のコーナーカバーには、次のような課題があった。
このコーナーカバーでは、接着剤や両面テープ等によって幅木の表面に取り付けられていたので、経年劣化によりこれらの接着力や貼着力が低下してしまい、外れてしまうことがあった。
【０００５】
また、接着剤を使用して取り付けるものは、取り付け時に接着剤がコーナーカバーの裏面からはみ出して幅木を汚してしまうことがあり、見かけを悪くすることがあった。更に、コーナーカバーが幅木から浮いた状態で固着されてしまい、幅木との間に隙間が形成されてしまうことがあった。
【０００６】
本考案の目的は、接着剤や両面テープ等の接着手段、貼着手段または粘着手段を用いることなく取着できる幅木または回り縁用のコーナーカバー及び幅木または回り縁のコーナー構造を提供することにある。
【課題を解決するための手段】
【０００７】
上記目的を達成するために本考案が講じた手段は次のとおりである。
本考案は、室内の出隅や入隅にあたる部分の幅木または回り縁に取着されるコーナーカバーであって、幅木または回り縁の表面に被せて取り付けられ、出隅や入隅を形作る被覆部材と、被覆部材の裏側から突設してあり、幅木または回り縁と壁材との間に挟まれた状態で配置可能な取着部材とを備える、幅木または回り縁用のコーナーカバーである。
【０００８】
取着部材は、上方から幅木と壁材との間に挿し込んで配置可能か、または下方から回り縁と壁材との間に挿し込んで配置可能なよう設けてあることが好ましい。
【０００９】
本考案は、室内の出隅や入隅にあたる部分の幅木または回り縁に取着されるコーナーカバーであって、幅木または回り縁の表面に被せて取り付けられ、出隅や入隅を形作る被覆部材と、被覆部材の裏側から突設してあり、幅木または回り縁と壁材との間に挟まれた状態で配置可能な取着部材とを備えており、取着部材は、厚み部分の一端部を被覆部材の裏側から立てて設けてある薄板状の突出板部を備え、当該突出板部の先部に折曲して立てて設けてあり、幅木または回り縁と壁材との間に挟まれる薄板状の被挟持部を有する、幅木または回り縁用のコーナーカバーである。
【００１０】
取着部材の被挟持部は、突出板部の先部から分岐して、被覆部材の裏面と平行または実質的に平行になるよう二方向に延びて形成してあることが好ましい。
【００１１】
室内の入隅にあたる部分の幅木または回り縁に取着されるコーナーカバーであって、取着部材の突出板部は、厚み部分の一端部を被覆部材の裏側に立てて二箇所に備えており、被挟持部はそれぞれの突出板部の先部に立てて、被覆部材の裏面と平行または実質的に平行になるよう延びて形成してあることが好ましい。
【００１２】
被覆部材は、幅木または回り縁の側面に被せて取り付けられる二つの側壁部を備えており、当該二つの側壁部は、取着時において変形することで幅木または回り縁の表面をやや押圧した状態で取着されるよう鋭角または鈍角に形成してあることが好ましい。
【００１３】
本考案は、上記コーナーカバーが室内の出隅や入隅にあたる部分の幅木または回り縁に取着してある幅木または回り縁のコーナー構造である。
【００１４】
（作  用）
本考案に係る幅木または回り縁用のコーナーカバーの取着方法とその作用を説明する。
コーナーカバーは、被覆部材が幅木または回り縁の表面に被せて取り付けられて出隅や入隅を形作り、被覆部材の裏側から突設してある取着部材が、幅木または回り縁と壁材との間に挟まれた状態で配置されることで、室内の出隅や入隅にあたる部分の幅木または回り縁に取着される。
【００１５】
幅木用のコーナーカバーは、取着部材が上方から幅木と壁材との間に挿し込んで配置されることで取着される。回り縁用のコーナーカバーは、取着部材が下方から回り縁と壁材との間に挿し込んで配置されることで取着される。
【００１６】
コーナーカバーは、被覆部材が幅木または回り縁の表面に被せて取り付けられて出隅や入隅を形作り、被覆部材の裏側から立てて設けてある突出板部の被挟持部が、幅木または回り縁と壁材との間に挟まれた状態で配置されることで、室内の出隅や入隅にあたる部分の幅木または回り縁に取着される。
【００１７】
被覆部材が、幅木または回り縁の側面に被せて取り付けられる二つの側壁部を備えており、この二つの側壁部が鋭角または鈍角に形成してあるものは、略９０度の角度を有する出隅や入隅に取着する場合において側壁部が変形した状態にでき、これにより被覆部材が幅木または回り縁の表面をやや押圧した状態で取着される。
【考案の効果】
【００１８】
本考案は上記構成を備え、次の効果を有する。
（ａ）本考案に係るコーナーカバーは、被覆部材が幅木または回り縁の表面に被せて取り付けられて出隅や入隅を形作り、被覆部材の裏側から突設してある取着部材が、幅木または回り縁と壁材との間に挟まれた状態で配置されることで、室内の出隅や入隅にあたる部分の幅木または回り縁に取着される。つまり、接着剤や両面テープ等の接着手段、貼着手段または粘着手段を用いることなく、簡単に室内の出隅や入隅にあたる部分の幅木または回り縁に取着することができる。従って、コーナーカバーは時間が経った場合でも外れにくい。また、上記手段を使用しないので、取り付け時に幅木または回り縁を汚したりして外観を悪くすることもない。
【００１９】
（ｂ）被覆部材が、幅木または回り縁の側面に被せて取り付けられる二つの側壁部を備えており、この二つの側壁部が鋭角または鈍角に形成してあるものは、略９０度の角度を有する出隅や入隅に取着する場合において側壁部が変形した状態にでき、これにより被覆部材が幅木または回り縁の表面をやや押圧した状態で取着される。この場合ではコーナーカバーは、側壁部と幅木または回り縁との間に隙間が形成されにくい状態で取着される。
【考案を実施するための最良の形態】
【００２０】
本考案の実施の形態を図面に基づき更に詳細に説明する。
図１は出隅にあたる部分の幅木に取着される幅木用のコーナーカバーの一実施の形態を示しており、表側を斜め上側から見た状態の斜視説明図、
図２は図１に示すコーナーカバーの裏側を斜め上側から見た状態の斜視説明図、
図３は図１に示すコーナーカバーの平面図、
図４は図１に示すコーナーカバーの側面図である。
【００２１】
コーナーカバーＣ１は、室内の壁材が約９０度の角度で出会ってできる出隅に設けられるもので、この出隅にあたる部分の幅木に取り付けて使用される。
【００２２】
コーナーカバーＣ１は、幅木の表面に被せて取り付けられ、幅木の出隅を形作る被覆部材１と、被覆部材１の裏側から突設してあり、幅木と壁材との間に挟まれて配置される取着部材２を備えている。
【００２３】
被覆部材１は、一方の壁材に固定された幅木と、他方の壁材に固定された幅木の両方の側面上に沿って設けられる二つの側壁部１０，１０ａを備えている。二つの側壁部１０，１０ａは、各幅木に対応するよう折れ曲がった形状を有している。側壁部１０，１０ａの上端縁には、幅木の幅部である上端面上に被せて取り付けられる上壁部１１が内方に突設してある。上壁部１１については後述する。
【００２４】
側壁部１０，１０ａは共に均一な厚みを有している。また、二つの側壁部１０，１０ａの表面は、幅木への取り付け前の状態のときに平面視において９０度よりやや鋭角に形成してある。本実施の形態で側壁部１０，１０ａは、表面が平面視において約８７．５度の角度に形成してある。側壁部１０，１０ａは、幅木の側面を覆った状態で取り付けられる高さに形成してある。
【００２５】
上壁部１１は、平面視において略「Ｌ」型状に形成してある。また、上壁部１１の内側の角度は、幅木への取り付け前の状態のときに平面視において約９０度に形成してある。上壁部１１は、幅木の上端面を覆った状態で取り付けられる幅厚に形成してある。
【００２６】
側壁部１０，１０ａの角部となる部分と、側壁部１０，１０ａと上壁部１１の角部となる部分のそれぞれには、面取り部３が形成してある。また、側壁部１０，１０ａの外端縁部と、上壁部１１の外端縁部のそれぞれには、面取り部４が形成してある。面取り部４は外縁が幅木の表面と連続した状態になるようになだらかな傾斜をつけて形成してある。
【００２７】
取着部材２は、薄板状の突出板部２０と、突出板部２０の先部から分岐して二方向に延ばして形成してある薄板状の被挟持部２１，２１ａを備えている。
【００２８】
突出板部２０は、一方の側縁が長辺となり他方の側縁が短辺となるよう、側面視において直線状の斜辺を下部側に形成した縦長四角形状を有している（図４参照）。突出板部２０は、長辺側の厚み部分を被覆部材１の裏側に立てて設けてある。詳しくは突出板部２０は、側壁部１０，１０ａの面取り部３（側壁部１０，１０ａの角部となる部分）と対応する裏側に立てて設けてある。突出板部２０は、平面視において側壁部１０，１０ａがなす角度を略二分する方向に突出してある（図３参照）。
【００２９】
被挟持部２１，２１ａは、突出板部２０の先部となる短辺側の部分から設けてある。二方向に延びる被挟持部２１，２１ａは、平面視において略９０度に折れ曲がった形状を有している。被挟持部２１，２１ａは、側壁部１０，１０ａと略平行に設けてある。
【００３０】
本実施の形態で示すコーナーカバーＣ１は、被覆部材と取着部材が一体に形成された合成樹脂製の成形品である。また、コーナーカバーＣ１は可撓性を有している。
【００３１】
（作  用）
図５は図１に示すコーナーカバーを出隅にあたる部分の幅木に取着する状態を示す分解斜視説明図、
図６は幅木に取着した状態の横断面説明図である。
【００３２】
なお、符号９０，９０ａは壁材を示しており、符号９１，９１ａは幅木を示している。コーナーカバーＣ１が取り付けられる出隅は、壁材９０と壁材９０ａが約９０度の角度で出会って角部が形成してあり、壁材９０に幅木９１が、壁材９０ａに幅木９１ａが取り付けられた構造を有している。幅木９１と幅木９１ａはそれぞれの端面を壁材９０と壁材９０ａの角部近傍に略合わせて、両端面の間にやや隙間を設けた状態で取り付けられている。
【００３３】
通常、幅木９１の表面には長さ方向に延びて溝９１０が、幅木９１ａの表面には長さ方向に延びて溝９１０ａが全長にわたって形成されている。幅木９１や幅木９１ａは、上記した溝９１０，９１０ａ内に釘を打ち込んで壁材９０，９０ａに固定されている。
【００３４】
コーナーカバーＣ１が取り付けられる出隅の壁材９０，９０ａには、取着部材２の被挟持部２１，２１ａが配置される位置に凹ませた凹部９００，９００ａが削って形成してある(図６参照)。壁材９０，９０ａは石膏ボード等で作られているものが多く、この場合では凹部９００，９００ａは簡単に形成できる。
【００３５】
図１ないし図６を参照して、本実施の形態で示すコーナーカバーＣ１の取着方法とその作用を説明する。
コーナーカバーＣ１は上記構造を有する出隅に取り付けられる。コーナーカバーＣ１は、角部の上方から壁材９０，９０ａに沿って下降させ、取着部材２の突出板部２０を幅木９１と幅木９１ａの間の隙間に配置し、取着部材２の被挟持部２１を幅木９１と壁材９０の間に挟み、被挟持部２１ａを幅木９１ａと壁材９０ａの間に挟んで取り付けられる。被挟持部２１は壁材９０に形成した凹部９００内に収容され、被挟持部２１ａは壁材９０ａに形成した凹部９００ａ内に収容される（図６参照）。
【００３６】
コーナーカバーＣ１の取り付けにあたっては、出隅近傍の幅木９１，９１ａを固定しない状態にしておくことが好ましい。この部分の幅木９１，９１ａを固定しないことにより、幅木９１と壁材９０と、幅木９１ａと壁材９０ａの間に僅かな隙間をつくることができ、被挟持部２１，２１ａが幅木９１，９１ａと壁材９０，９０ａの間に配置し易い。コーナーカバーＣ１の取り付け完了後において、出隅近傍の幅木９１，９１ａは釘を壁材に打ち込んで固定される。
【００３７】
こうしてコーナーカバーＣ１は、側壁部１０，１０ａの裏側と被挟持部２１，２１ａとの間に幅木９１，９１ａを収容し、幅木９１，９１ａの表面に側壁部１０，１０ａと上壁部１１を被せた状態で取り付けられる。
【００３８】
コーナーカバーＣ１は、側壁部１０，１０ａが平面視において９０度よりやや鋭角に形成してある（本実施の形態では平面視において約８７．５度の角度を有する）。従って、壁材９０，９０ａによる角部が略９０度の角度で形成されていれば、コーナーカバーＣ１は、側壁部１０，１０ａが取り付け時において角度を拡げる方向にやや変形して、幅木９１，９１ａの表面をやや押圧した状態で取り付けられる。これによりコーナーカバーＣ１は、側壁部１０，１０ａと幅木９１，９１ａとの間に隙間が形成されにくい状態で取り付けられる。
【００３９】
このようにコーナーカバーＣ１は、接着剤や両面テープ等の接着手段、貼着手段または粘着手段を用いることなく出隅に簡単に取り付けることができる。従って、コーナーカバーＣ１は時間が経った場合でも外れにくい。また、上記手段を使用しないので、取り付け時に幅木を汚したりして外観を悪くすることもない。
【００４０】
図７は入隅にあたる部分の幅木に取着される幅木用のコーナーカバーの一実施の形態を示しており、表側を斜め上側から見た状態の斜視説明図、
図８は図７に示すコーナーカバーの裏側を斜め上側から見た状態の斜視説明図、
図９は図７に示すコーナーカバーの側面図である。
【００４１】
コーナーカバーＣ２は、室内の壁材が約９０度の角度で出会ってできる入隅に設けられるもので、この入隅にあたる部分の幅木に取り付けて使用される。
【００４２】
コーナーカバーＣ２は、幅木の表面に被せて取り付けられ、幅木の入隅を形作る被覆部材５と、被覆部材５の裏側から突設してあり、幅木と壁材との間に挟まれて配置される取着部材６を備えている。
【００４３】
被覆部材５は、一方の壁材に固定された幅木と、他方の壁材に固定された幅木の両方の側面上に沿って設けられる二つの側壁部５０，５０ａを備えている。二つの側壁部５０，５０ａは、各幅木に対応するよう折れ曲がった形状を有している。側壁部５０，５０ａの上端縁には、幅木の幅部である上端面上に被せて取り付けられる上壁部５１が外方に突設してある。上壁部５１については後述する。
【００４４】
側壁部５０，５０ａは共に均一な厚みを有している。また、側壁部５０，５０ａの表面は、幅木への取り付け前の状態のときに平面視において９０度よりやや鈍角に形成してある。本実施の形態で側壁部５０，５０ａは、表面が平面視において約９２．５度の角度に形成してある。側壁部５０，５０ａは、幅木の側面を覆った状態で取り付けられる高さに形成してある。
【００４５】
上壁部５１は、平面視において略「Ｌ」型状に形成してある。また、上壁部５１の外側の角度は、幅木への取り付け前の状態のときに平面視において約９０度に形成してある。上壁部５１は、幅木の上端面を覆った状態で取り付けられる幅厚に形成してある。
【００４６】
側壁部５０，５０ａと上壁部５１の角部となる部分のそれぞれには、面取り部７が形成してある。また、側壁部５０，５０ａの外端縁部と上壁部５１の外端縁部のそれぞれには、面取り部８が形成してある。面取り部８は外縁が幅木の表面と連続した状態になるようになだらかな傾斜をつけて形成してある。
【００４７】
取着部材６は、二箇所に設けられた薄板状の突出板部６０，６０ａと、突出板部６０の先部に設けてある薄板状の被挟持部６１と、突出板部６０ａの先部に設けてある薄板状の被挟持部６１ａを備えている。
【００４８】
突出板部６０，６０ａは、一方の側縁が長辺となり他方の側縁が短辺となるよう、側面視において直線状の斜辺を下部側に形成した縦長四角形状を有している（図９参照）。突出板部６０，６０ａは、長辺側の厚み部分を被覆部材５の裏側に立てて設けてある。詳しくは突出板部６０，６０ａは、側壁部５０，５０ａの角部となる部分と対応する裏側に立てて設けてある。突出板部６０，６０ａは、平面視において側壁部５０，５０ａと略直交する二方向に突出してある。
【００４９】
被挟持部６１は、突出板部６０の先部となる短辺側の部分から設けてあり、被挟持部６１ａは、突出板部６０ａの先部となる短辺側の部分から設けてある。被挟持部６１，６１ａは、側壁部５０，５０ａと略平行に設けてある。
【００５０】
本実施の形態で示すコーナーカバーＣ２は、被覆部材と取着部材が一体に形成された合成樹脂製の成形品である。また、コーナーカバーＣ２は可撓性を有している。
【００５１】
（作  用）
図１０は図７に示すコーナーカバーを入隅にあたる部分の幅木に取着する状態を示す分解斜視説明図、
図１１は幅木に取着した状態の横断面説明図である。
【００５２】
なお、符号９５，９５ａは壁材を示しており、符号９６，９６ａは幅木を示している。コーナーカバーＣ２が取り付けられる入隅は、壁材９５と壁材９５ａが約９０度の角度で出会って角部が形成してあり、壁材９５に幅木９６が、壁材９５ａに幅木９６ａが取り付けられた構造を有している。幅木９６と幅木９６ａはそれぞれの端面を壁材９５と壁材９５ａの角部近傍に略合わせて、両端面の間にやや隙間を設けた状態で取り付けられている。
【００５３】
通常、幅木９６の表面には長さ方向に延びて溝９６０が、幅木９６ａの表面には長さ方向に延びて溝９６０ａが全長にわたって形成されている。幅木９６や幅木９６ａは、上記した溝９６０，９６０ａ内に釘を打ち込んで壁材９５，９５ａに固定されている。
【００５４】
コーナーカバーＣ２が取り付けられる入隅の壁材９５，９５ａには、取着部材６の被挟持部６１，６１ａが配置される位置に凹ませた凹部９５０，９５０ａが削って形成してある（図１１参照)。壁材９５，９５ａは石膏ボード等で作られているものが多く、この場合では凹部９５０，９５０ａは簡単に形成できる。
【００５５】
図７ないし図１１を参照して、本実施の形態で示すコーナーカバーＣ２の取着方法とその作用を説明する。
なお、上記したコーナーカバーＣ１と共通する構成により生じる同様の作用、効果については説明を省略し、相違する点についてのみ説明する。
【００５６】
コーナーカバーＣ２は上記構造を有する入隅に取り付けられる。コーナーカバーＣ２は、角部の上方から壁材９５，９５ａに沿って下降させ、取着部材６の突出板部６０，６０ａを幅木９６と幅木９６ａの間の隙間に配置し、取着部材６の被挟持部６１を幅木９６と壁材９５の間に挟み、被挟持部６１ａを幅木９６ａと壁材９５ａの間に挟んで取り付けられる。被挟持部６１は壁材９５に形成した凹部９５０内に収容され、被挟持部６１ａは壁材９５ａに形成した凹部９５０ａ内に収容される（図１１参照）。
【００５７】
コーナーカバーＣ２の取り付けにあたっては、入隅近傍の幅木９６，９６ａを固定しない状態にしておくことが好ましい。この部分の幅木９６，９６ａを固定しないことにより、幅木９６と壁材９５と、幅木９６ａと壁材９５ａの間に僅かな隙間をつくることができ、被挟持部６１，６１ａが幅木９６，９６ａと壁材９５，９５ａの間に配置し易い。コーナーカバーＣ２の取り付け完了後において、入隅近傍の幅木９６，９６ａは釘を壁材に打ち込んで固定される。
【００５８】
こうしてコーナーカバーＣ２は、側壁部５０，５０ａの裏側と被挟持部６１，６１ａとの間に幅木９６，９６ａを収容し、幅木９６，９６ａの表面に側壁部５０，５０ａと上壁部５１を被せた状態で取り付けられる。
【００５９】
コーナーカバーＣ２は、側壁部５０，５０ａが平面視において９０度よりやや鈍角に形成してある（本実施の形態では平面視において約９２．５度の角度を有する）。従って、壁材９５，９５ａによる角部が略９０度の角度で形成されていれば、コーナーカバーＣ２は、側壁部５０，５０ａが取り付け時において角度を狭める方向にやや変形して、幅木９６，９６ａの表面をやや押圧した状態で取り付けられる。これによりコーナーカバーＣ２は、側壁部５０，５０ａと幅木９６，９６ａとの間に隙間が形成されにくい状態で取り付けられる。
【００６０】
上記実施の形態で示すコーナーカバーＣ１、Ｃ２は、被覆部材と取着部材が一体に形成された合成樹脂製の成形品である。また、コーナーカバーＣ１、Ｃ２は可撓性を有している。しかし、これは限定するものではなく、コーナーカバーＣ１、Ｃ２は、それぞれ別体に形成した被覆部材と取着部材を接着剤や溶着等によって一体に形成したものを使用しても良い。また、支障ない程度の保形性を備えていれば、変形性や柔軟性を備えたものを使用しても良い。
【００６１】
上記実施の形態で示すコーナーカバーは、幅木用のものを示したが、これは限定するものではなく、回り縁用のコーナーカバーとして使用することもできる。
【００６２】
本明細書で使用している用語と表現は、あくまでも説明上のものであって、なんら限定的なものではなく、本明細書に記述された特徴およびその一部と等価の用語や表現を除外する意図はない。また、本考案の技術思想の範囲内で、種々の変形態様が可能であるということは言うまでもない。
【図面の簡単な説明】
【００６３】
【図１】出隅にあたる部分の幅木に取着される幅木用のコーナーカバーの一実施の形態を示しており、表側を斜め上側から見た状態の斜視説明図。
【図２】図１に示すコーナーカバーの裏側を斜め上側から見た状態の斜視説明図。
【図３】図１に示すコーナーカバーの平面図。
【図４】図１に示すコーナーカバーの側面図。
【図５】図１に示すコーナーカバーを出隅にあたる部分の幅木に取着する状態を示す分解斜視説明図。
【図６】幅木に取着した状態の横断面説明図。
【図７】入隅にあたる部分の幅木に取着される幅木用のコーナーカバーの一実施の形態を示しており、表側を斜め上側から見た状態の斜視説明図。
【図８】図７に示すコーナーカバーの裏側を斜め上側から見た状態の斜視説明図。
【図９】図７に示すコーナーカバーの側面図。
【図１０】図７に示すコーナーカバーを入隅にあたる部分の幅木に取着する状態を示す分解斜視説明図。
【図１１】幅木に取着した状態の横断面説明図。
【符号の説明】
【００６４】
Ｃ１，Ｃ２  コーナーカバー
１  被覆部材
１０，１０ａ  側壁部
１１  上壁部
２  取着部材
２０  突出板部
２１，２１ａ  被挟持部
３  面取り部
４  面取り部
５  被覆部材
５０，５０ａ  側壁部
５１  上壁部
６  取着部材
６０，６０ａ  突出板部
６１，６１ａ  被挟持部
７  面取り部
８  面取り部
９０，９０ａ  壁材
９００，９００ａ  凹部
９１，９１ａ  幅木
９１０，９１０ａ  溝
９５，９５ａ  壁材
９５０，９５０ａ  凹部
９６，９６ａ  幅木
９６０，９６０ａ  溝
【図１】
0003127147.tif 000003
【図２】
0003127147.tif 000004
【図３】
0003127147.tif 000005
【図４】
0003127147.tif 000006
【図５】
0003127147.tif 000007
【図６】
0003127147.tif 000008
【図７】
0003127147.tif 000009
【図８】
0003127147.tif 000010
【図９】
0003127147.tif 000011
【図１０】
0003127147.tif 000012
【図１１】
0003127147.tif 000013